【事件の表示】
　特許第３０２７１３３号「回転カムによるノック式筆記具」の請求項１及び請求項２に係る特許に対する特許異議の申立てについて、次のとおり決定する。
【結　論】
　訂正を認める。
　特許第３０２７１３３号の請求項１及び請求項２に係る特許を取り消す。
【理　由】
１．手続きの経緯
　特許第３０２７１３３号の請求項１ないし請求項３に係る発明についての出願は、平成９年９月１１日に特許出願され、平成１２年１月２８日にその特許権の設定登録がなされ、その後、株式会社　壽　より特許異議の申立がなされ、取り消しの理由が通知され、その指定期間内である平成１３年８月１日に訂正請求がなされたものである。
２．訂正の適否についての判断
（１）訂正の内容
ア．訂正事項ａ
　特許請求の範囲の請求項１ないし請求項３を、次のとおり訂正する。
　【請求項１】筆記具用インキを収容したレフィールを、軸筒内にコイルスプリングにより後端方向へ付勢して摺動自在に配設し、レフィールに固着することなく後方にレフィールに装着した尾栓の頭部端面に先端面を当接して配設した回転カムからなる、ノック体を押圧することによりレフィール先端のペン先部を軸筒の先端開口部より出没可能とする繰出機構を具備した回転カムによるノック式筆記具において、前記コイルスプリングの巻き方向を回転カムの回転方向と逆巻きとし、前記尾栓の頭部端面および／または回転カムの先端面を凹凸状に形成して、回転カムの回転とともにレフィールも回転させてなる回転カムによるノック式筆記具。
　【請求項２】筆記具用インキを収容したレフィールを、軸筒内にコイルスプリングにより後端方向へ付勢して摺動自在に配設し、レフィールに固着することなく後方にレフィールに装着した尾栓の頭部端面に先端面を当接して配設した回転カムからなる、ノック体を押圧することによりレフィール先端のペン先部を軸筒の先端開口部より出没可能とする繰出機構を具備した回転カムによるノック式筆記具において、前記コイルスプリングの巻き方向を回転カムの回転方向と逆巻きとし、前記尾栓の頭部端面と回転カムの先端面に形成した溝と突起とからなる係合手段部によりレフィールと回転カムを連結して、回転カムの回転とともにレフィールも回転させてなる回転カムによるノック式筆記具。
　【請求項３】筆記具用インキを収容したレフィールを、軸筒内にコイルスプリングにより後端方向へ付勢して摺動自在に配設し、レフィールに固着することなく後方にレフィールに装着した尾栓の頭部端面に先端面を当接して配設した回転カムからなる、ノック体を押圧することによりレフィール先端のペン先部を軸筒の先端開口部より出没可能とする繰出機構を具備した回転カムによるノック式筆記具において、前記コイルスプリングの巻き方向を回転カムの回転方向と逆巻きとし、前記尾栓の頭部端面と回転カムの先端面の間に粘着物を介在して、回転カムの回転とともにレフィールも回転させてなる回転カムによるノック式筆記具。
イ．訂正事項ｂ
　明細書の段落番号【０００７】の記載を、次のとおり訂正する。
　【０００７】
　【課題を解決するための手段】
　本発明は、筆記具用インキを収容したレフィールを、軸筒内にコイルスプリングにより後端方向へ付勢して摺動自在に配設し、レフィールに固着することなく後方にレフィールに装着した尾栓の頭部端面に先端面を当接して配設した回転カムからなる、ノック体を押圧することによりレフィール先端のペン先部を軸筒の先端開口部より出没可能とする繰出機構を具備した回転カムによるノック式筆記具において、前記コイルスプリングの巻き方向を回転カムの回転方向と逆巻きとし、前記尾栓の頭部端面および／または回転カムの先端面を凹凸状に形成して、回転カムの回転とともにレフィールも回転させる構造とする。
（２）訂正の目的の適否、新規事項の有無、及び特許請求の範囲の拡張・変更の存否
　上記訂正事項ａは、請求項１ないし請求項３のいずれにも構成要件を加えるものであるから、いずれも、特許請求の範囲の減縮を目的とした明細書の訂正に該当し、上記訂正事項ｂは、上記訂正事項ａと整合を図るものであるから、明りょうでない記載の釈明を目的とした明細書の訂正に該当し、いずれも、新規事項の追加に該当せず、実質上特許請求の範囲を拡張し、又は変更するものではない。
（３）独立特許要件
　上記請求項３に係る訂正は、特許異議の申立てがされていない請求項についての訂正であって、特許請求の範囲の減縮を目的としたものに該当するから、訂正明細書の請求項３に係る発明の独立特許要件について検討する。
　訂正明細書の請求項３に係る発明は、訂正明細書の特許請求の範囲の請求項３に記載された事項により特定されたとおりのものである（上記（１）訂正の内容ア．参照。）。
　特許異議申立人の提出した刊行物については以下の「３．特許異議の申立てについての判断」で検討することになるが、刊行物１のカム体（ラチエット）１２０の回転力を点先端液筒組合せ装置７（筆記装置１０７）に伝達するものは、どう広くとらえても機械的手段に限られ、請求項３に係る発明のように、粘着物を介して連接することは示唆しない。したがって、特許異議申立人が提出した刊行物に記載された発明に基いて当業者が容易に発明をすることができたものとすることができない。
　よって、訂正明細書の請求項３に係る発明は、出願の際、独立して特許を受けることができるものである。
（４）むすび
　上記訂正は、特許法第１２０条の４第２項及び同条第３項において準用する同法第１２６条第２項から第４項の規定に適合するので、この訂正を認める。
３．特許異議の申立てについての判断
（１）申立ての理由の概要
　特許異議申立人　株式会社　壽　は、甲第１号証（特公昭３２−７１２２号公報）を提出して、特許第３０２７１３３号の請求項１及び請求項２に係る発明は、本件出願前に日本国内において頒布された刊行物に記載された発明に基づいてその発明の属する技術の分野における通常の知識を有する者が容易に発明をすることができたものであるから、本件請求項１及び請求項２に係る発明の特許は特許法第２９条第２項の規定に違反してされたものであるから、特許法第１１３条第２号に該当し、特許を取り消すべき旨主張している。
（２）請求項１及び請求項２に係る発明
　本件特許第３０２７１３３号の請求項１及び請求項２に係る発明は、訂正明細書の特許請求の範囲の請求項１及び請求項２に記載された事項により特定されるとおりのものである。（上記、２．（１）訂正の内容ア．参照。）
（３）刊行物に記載の事項
　当審が通知した取消しの理由に引用された刊行物１（甲第１号証）には、
ア．「ボール点筆記具筆記装置用の新規な伸縮機構にして該機構が操作される度毎に筆記装置は廻転し、以てボール受金の任意の特定部分に於ける磨耗を最少ならしめるが如きものを与えるにある。」（第２頁右欄第６〜１０行。）
イ．「図面第１図を特に参照としてのべると本発明の好適なる実施例は主部２と先細り尖端部３を有する筒身即ち外鞘１とクリップ具５を装着した後縁体即ち端体４とより成る。筒身１は内孔を形成し、全体を８で示した伸縮機構に連結する点先端液筒組合せ装置７の前方端を受け容れる収容室６を規定する。
　点先端液筒組合せ装置７は、簡単に、器具の筆記装置と称してもよいが、ボール点筆記具に使用するに適した一定量のインキを収める貯蔵部１０とインキ供給部１１及びボール筆記点１２とを有し、該ボール筆記点は装置７の前端部に支持され、インキ供給部１１内に設けて貯蔵部１０に達する供給溝（図示してない）に連絡した座金（図示してない）に堅確に装着される。収容室６は前方に向つて直径が縮少している部分１５を設けて、戻りバネ即ち引込みバネ１６の一端を収め、以て点先端液筒組合せ装置７が肩１７に押しつけられ、又貯蔵部１０の前方端に押しつけられて支持されるが如くにし、又上述の部分１５よりも更に直径の小さな心腔１８があって、之が前方に向つて縮少するインキ供給部１１をうけ入れ案内する。」（第２頁右欄第３１〜第３頁左欄第８行。）
ウ．「貯蔵部１０の後方端に堅確に固定し、点先端液筒組合せ装置自体に含まれる一部分を形成して而も該装置と共に交換が可能であるカム体２０があり、之が器具の伸縮機構の主要部分を構成するものである。
　カム体２０には、中央開孔即ち心孔２１を設け、此の心孔は、数個の放射状に突き出した刻み即ち溝２２（第６図を見よ）をなして終つているが、此の溝は、貯蔵部１０中のインキ液柱の後方端面に対して均一に空気を供給し、以て、インキが装置の筆記端からひき出された時に残留する空隙を空気でみたす為のものである。
　カム体２０には、貯蔵部１０の後方端部内に肩２５の所まで、きつちり係合する円筒状の端部２４を設け、且又２６に示した如くひだをつけて両端部を一緒に固定する事により、カム体は上述貯蔵部後端にインキ洩れのない関係をなして固定される。」（第３頁左欄第９〜２６行。）
エ．「円筒状のカム体２０には多数のカム表面５０〜５５を設け、之等は直径の両側に対をなしていて、之等の面が順次に面の附近に配置して固定した止め具４５及び４６と一致する所まで押しボタン３５を反覆して押し下げる時には、カム面は爪４３及び４４と順次に係合する事が出来、以てカム体と之に連結した装置７とに対して、同一方向の旋回運動並に長軸方向の往復運動が与えられ、又上述の止め具に依つて、点先端液筒組合せ装置２７とカム体は順番に突出位置と引込位置に確実に保持される。」（第３頁右欄第１２〜２２行。）
オ．「かくして、筆記装置が筆記位置にまで継続的に進む度毎に、１８０度だけ旋回する。此の事は筆記ボールの座金の磨耗の不均一性を最小限に止める傾向を生じ、又ボールが拾い上げて、ボールとボール座金の間に押し込んだ異物粒子をはなす傾向を生ずるものである。」（第５頁左欄第１１〜１６行。）
カ．「第１６〜２１図に図示した本発明の実施例は改良型の伸縮機構を有するが、器具の其他の部分品は上述の実施例のものと同様であつて差支えないので其に関する叙述は反覆しない事にする。改良型円筒カム体６０は、貯蔵部１０の後端部内に確実に固定され、上述実例のカム体２０のものと同様な中心空気供給装置を設置する。」（第５頁左欄第１７〜２３行。）
キ．「第１〜１５図に示した実施例の押しボタン３５又は第１６〜２０図に示した実施例の押しボタン即轂７３が継続的に押し下げられたりゆるめられたりすると之に依つて働く伸縮機構が筆記点を交互に、突出した筆記位置と引込んだ非筆記位置に伸縮させその度毎に点先端液筒組合せ装置は外鞘に対して１８０度廻転する事が了解出来る筈である。使用者が筆記具を握る場所からは離れた一定の位置でクリツプで常法通りに筆記具を保持している限り、ボール座金の一側に余計な磨耗を生ずる事は避けられる。」（第６頁左欄第６〜１６行。）
ク．「伸縮機構の一改良型式を第２３〜２６図に図示した。本実施例は第１〜１５図のものと同様な構造を有し、以下に特にのべた若干の変化を施してある。本構造物の構成単位部品は第一実施例の対応単位部品の数字符号に１００を加えた数字符号を附し、例えば１０は１１０となり１１は１１１となる等の如くにしてある。」（第６頁右欄第１１行〜１７行。）
ケ．「（第２６図にみる如く）プランジヤーは、その前方端部に相対する隙間１４１及び１４２と、之に対応する爪１４３及び１４４を有する。」（第６頁右欄第２６〜２８行。）
コ．「ラチエツト即ちカム体１２０は前述したものと同様にカム面及び停止面１５０及び１５９と後方伸張部１４９を有する。」（第６頁右欄第３４〜３６行。）
サ．「筆記装置１０７の形状や寸法が精度不正確である為にキシキシにならぬ様にラチエツト１２０と外鞘の形の中にある貯蔵部１１０との間には浮遊式連結法を設ける。ラチエツト１２０の前方端では、端部１２４に溝又は多数の凹み１２４′を設け、１１０部の外鞘にはその後端に上述の溝又は凹みにのびた凹みを１２４″の所につけ、以て両者を固着する。連結法は、筆記装置１０７全体がラチエツト１２０と一緒に廻転し、但し両者の間には多少のガタはある様なものである。例えは若しも、筆記装置の芯出しに何等かの誤りが生じた時に、ラチエツト１２０がプランジヤー１３４及び套管１２７とが正確に芯が出ていることによりキシキシになることはない。大量生産の投術では不正確が生じ得るものであつて例えば杆１１１と貯蔵部１１０の間には僅かな角度芯が出ないが起り得る事は了解される。縮んだ孔１１８中に限定されている杆１１１は筆記装置の上端を著しく横にずらす結果を生ずるが、ラチエツトと貯蔵部との間の浮遊式連結法は芯の出ない場合にも適応するものである。」（第７頁左欄第４行〜２３行。）
と記載されている。
（３）請求項１に係る発明について
　刊行物１の摘記事項のサ．には、第２３〜第２６図に図示される実施例の筆記装置の貯蔵部とラチェットとの関係が記載されているが、ここの「連結」及び「固着」の意味を考えると、「以て両者を固着する」とは、溝又は多数の凹みを設けたラチェットの前端部と、この溝又は凹みにのびた凹みをつけた筆記装置の貯蔵部の後端部とを「互いに突き合わせる」意に過ぎず、双方を突き合わせる力があれば当接し一体のものであるが、その力がなければ別体に分離するものと考えられ、「固着」の語のみで他のなんらかの一体的固着を意味させているとは考えられない。また「連結法」というのも筆記装置全体がラチェットと一緒に回転する態様をそのように称しているのであって、「連結」の語のみで他のなんらかの一体的連結を意味させているとは考えられない。以上はクラッチを入れた状態を考えればよく、クラッチを入れて、クラッチの凹凸が噛み合っていれば回転力の伝達が可能であり、それ以外の「固着」も「連結」も要しない。したがって、クラッチはまた切ることができる。刊行物１の第２３〜第２６図に図示される実施例の筆記装置とラチェットの関係もこのクラッチ様のものが想定され、そのように想定することについて、筆記装置の実施例として格別の不都合があるというわけでもない。
　第２３図には、ペン先を下側にした場合に、バネであるコイルスプリングが右巻きであり、カム体１２０のカム面１５０の傾斜の向き及び第２６図に示されたプランジャー１３４の爪１４３、１４４の傾斜の向きから、カム体１２０の廻転方向は左回りとなっており、コイルスプリングの巻き方向がカム体の廻転方向と逆巻きとなった態様が記載されている。
　そうすると、上記摘記事項及び図面から刊行物１には、「インキを収めた点先端液筒組合せ装置７（筆記装置１０７）を、筒身１内に戻りバネ１６により後端方向へ付勢して摺動自在に配設し、点先端液筒組合せ装置７（筆記装置１０７）後端面に前端面を固着することなく当接するカム体（ラチエット）１２０からなる、押しボタン１３５を押圧することにより点先端液筒組合せ装置７（筆記装置１０７）先端のボール筆記点１２を筒身１の先端心腔１８（縮んだ孔１１８）より出没可能とする伸縮機構を具備したカム体（ラチエット）１２０による押しボタン式筆記具において、前記戻りバネ１６の巻き方向をカム体（ラチエット）１２０の回転方向と逆巻きとし、前記カム体（ラチエット）１２０の前方端では、端部１２４に溝又は多数の凹み１２４′を設け、点先端液筒組合せ装置７（筆記装置１０７）の後端に前記溝又は凹み１２４′にのびた凹みを１２４″の所につけてカム体（ラチエット）１２０の回転とともに点先端液筒組合せ装置７（筆記装置１０７）も回転させてなるカム体（ラチエット）１２０による押しボタン式筆記具。」が記載されている。
　したがって、請求項１に係る発明と刊行物１に記載された発明とを対比すると両者は下記Ａ、Ｂの点で相違し、その余の点で一致している。
Ａ．請求項１に係る発明が、レフィール後端に尾栓を装着し、尾栓の頭部端面とこれに当接した回転カム先端面間に連接機構を設けているのに対し、刊行物１に記載された発明では、点先端液筒組合せ装置７（筆記装置１０７）の後端とこれに当接したカム体（ラチエット）１２０間に連接機構が設けられているものの、点先端液筒組合せ装置７（筆記装置１０７）の後端が尾栓を装着したものとなっているかどうか不明である点。
Ｂ．請求項１に係る発明のレフィールと回転カム間の連接機構が、レフィール後端面および／またはこれに当接した回転カムの先端面を凹凸状に形成したものであるのに対し、刊行物１に記載された発明の点先端液筒組合せ装置７（筆記装置１０７）とこれに当接したカム体（ラチエット）１２０間の連接機構が、カム体（ラチエット）１２０の前方端では、端部１２４に溝又は多数の凹み１２４′を設け、点先端液筒組合せ装置７（筆記装置１０７）の後端に前記溝又は凹み１２４′にのびた凹みを１２４″の所につけたもの（刊行物１では「浮遊式連結法」と称している。）である点。
　相違点Ａについて検討するに、刊行物１の第１〜１５図に示される実施例では、点先端液筒組合せ装置７の貯蔵部１０とカム体２０は一体に固定されカム体２０が尾栓を構成している（摘記事項ウ．及び第３図参照。）。同じく、刊行物１の第１６〜２０図に示される実施例でも点先端液筒組合せ装置７の貯蔵部１０とカム体６０は一体に固定されカム体６０が尾栓を構成している（摘記事項カ．及び第１６図参照。）。ところが、点先端液筒組合せ装置７（筆記装置１０７）の貯蔵部１１０後端とカム体１２０が連接機構を介して連接する場合、そもそも貯蔵部１０内のインキは、貯蔵部１０と、貯蔵部１０に係合したカム体２０との間からのインキ洩れの恐れがないように、ひだ２６をつける工夫をしたりするようなものであるから（摘記事項ウ．及び第３図参照。）、別途貯蔵部１１０後端を閉塞するものが必要であることはあきらかである。そのとき刊行物１の第１〜第１５図に示される実施例および刊行物１の第１６〜２０図に示される実施例と同様に尾栓を装着するという技術手段を採用して貯蔵部１１０後端を閉塞することは当業者が容易に想起し得たものであり、当該尾栓を利用して点先端液筒組合せ装置７（筆記装置１０７）側の連接機構の加工部とすることは当然考えることである。したがって、相違点Ａに係る本件発明の構成は当業者が容易になしえたものである。
　相違点Ｂについて検討するに、刊行物１に記載された発明において、一方のカム体（ラチエット）１２０の前方端に溝又は多数の凹みを設け、他方の点先端液筒組合せ装置７（筆記装置１０７）の後端に当該溝又は凹みにのびた凹みをつけるということは、いささか不明りょう、不合理であり、一方のカム体（ラチエット）１２０の前方端を他方の点先端液筒組合せ装置７（筆記装置１０７）の後端に当接して、カム体（ラチエット）１２０の回転力を点先端液筒組合せ装置７（筆記装置１０７）に伝達するのであれば、一方のカム体（ラチエット）１２０の前方端に溝又は多数の凹みを設けた場合、他方の点先端液筒組合せ装置７（筆記装置１０７）の後端には当該溝又は多数の凹みに合致してのびた突起を設けると考えるのが普通のことである。またその場合には多数の凹みがあればその間に多数の突起があり、多数の突起があればその間に多数の凹みがあることを意味するから結局それぞれを凹凸状に形成していると言える。したがって、相違点Ｂに係る本件発明の構成は当業者が容易になしえたものである。
　よって、請求項１に係る発明は刊行物１に記載された発明に基づいて当業者が容易に発明をすることができたものである。
（４）請求項２に係る発明について
　刊行物１に記載された発明は「（３）請求項１に係る発明について」でみたとおりのものであるから、請求項２に係る発明と刊行物１に記載された発明とを対比すると両者は下記Ｃ、Ｄの点で相違し、その余の点で一致している。
Ｃ．請求項２に係る発明が、レフィール後端に尾栓を装着し、尾栓の頭部端面とこれに当接した回転カム先端面間に連接機構を設けているのに対し、刊行物１に記載された発明では、点先端液筒組合せ装置７（筆記装置１０７）の後端とこれに当接したカム体（ラチエット）１２０間に連接機構が設けられているものの、点先端液筒組合せ装置７（筆記装置１０７）の後端が尾栓を装着したものとなっているかどうか不明である点。
Ｄ．請求項２に係る発明のレフィールと回転カム間の連接機構が、レフィール後端面と回転カムの先端面に形成した溝と突起とからなる係合手段であるのに対し、刊行物１に記載された発明の点先端液筒組合せ装置７（筆記装置１０７）とこれに当接したカム体（ラチエット）１２０間の連接機構が、カム体（ラチエット）１２０の前方端では、端部１２４に溝又は多数の凹み１２４′を設け、点先端液筒組合せ装置７（筆記装置１０７）の後端に前記溝又は凹み１２４′にのびた凹みを１２４″の所につけたもの（刊行物１では「浮遊式連結法」と称している。）である点。
　相違点Ｃについて検討するに、これは「（３）請求項１に係る発明について」でみた「相違点Ａ」と同じであるから、相違点Ｃに係る本件発明の構成は当業者が容易になしえたものである。
　相違点Ｄについて検討するに、刊行物１に記載された発明において、一方のカム体（ラチエット）１２０の前方端に溝又は多数の凹みを設け、他方の点先端液筒組合せ装置７（筆記装置１０７）の後端に当該溝又は凹みにのびた凹みをつけるということは、いささか不明りょう、不合理であり、一方のカム体（ラチエット）１２０の前方端を他方の点先端液筒組合せ装置７（筆記装置１０７）の後端に当接して、カム体（ラチエット）１２０の回転力を点先端液筒組合せ装置７（筆記装置１０７）に伝達するのであれば、一方のカム体（ラチエット）１２０の前方端に溝又は多数の凹みを設けた場合、他方の点先端液筒組合せ装置７（筆記装置１０７）の後端には当該溝又は凹みに合致してのびた突起を設けると考えるのが普通のことである。したがって、相違点Ｄに係る本件発明の構成は当業者が容易になしえたものである。
　よって、請求項２に係る発明は刊行物１に記載された発明に基づいて当業者が容易に発明をすることができたものである。
（５）むすび
　以上のとおりであって、請求項１及び請求項２に係る発明の特許は、特許法第２９条第２項の規定に違反してされたものである。
　したがって、請求項１及び請求項２に係る発明の特許は特許法第１１３条第２号に該当し、取り消されるべきものである。
　よって、結論のとおり決定する。
【異議決定日】
平成１３年１０月１８日（２００１．１０．１８）
【訂正の要旨】
　訂正の要旨
１．特許請求の範囲の減縮を目的として、
　特許明細書の特許請求の範囲の請求項１ないし請求項３の記載を、
「【請求項１】筆記具用インキを収容したレフィールを、軸筒内にコイルスプリングにより後端方向へ付勢して摺動自在に配設し、レフィールに固着することなく後方にレフィールに装着した尾栓の頭部端面に先端面を当接して配設した回転カムからなる、ノック体を押圧することによりレフィール先端のペン先部を軸筒の先端開口部より出没可能とする繰出機構を具備した回転カムによるノック式筆記具において、前記コイルスプリングの巻き方向を回転カムの回転方向と逆巻きとし、前記尾栓の頭部端面および／または回転カムの先端面を凹凸状に形成して、回転カムの回転とともにレフィールも回転させてなる回転カムによるノック式筆記具。
　【請求項２】筆記具用インキを収容したレフィールを、軸筒内にコイルスプリングにより後端方向へ付勢して摺動自在に配設し、レフィールに固着することなく後方にレフィールに装着した尾栓の頭部端面に先端面を当接して配設した回転カムからなる、ノック体を押圧することによりレフィール先端のペン先部を軸筒の先端開口部より出没可能とする繰出機構を具備した回転カムによるノック式筆記具において、前記コイルスプリングの巻き方向を回転カムの回転方向と逆巻きとし、前記尾栓の頭部端面と回転カムの先端面に形成した溝と突起とからなる係合手段部によりレフィールと回転カムを連結して、回転カムの回転とともにレフィールも回転させてなる回転カムによるノック式筆記具。
　【請求項３】筆記具用インキを収容したレフィールを、軸筒内にコイルスプリングにより後端方向へ付勢して摺動自在に配設し、レフィールに固着することなく後方にレフィールに装着した尾栓の頭部端面に先端面を当接して配設した回転カムからなる、ノック体を押圧することによりレフィール先端のペン先部を軸筒の先端開口部より出没可能とする繰出機構を具備した回転カムによるノック式筆記具において、前記コイルスプリングの巻き方向を回転カムの回転方向と逆巻きとし、前記尾栓の頭部端面と回転カムの先端面の間に粘着物を介在して、回転カムの回転とともにレフィールも回転させてなる回転カムによるノック式筆記具。」と訂正する。
２．上記１．の特許明細書の特許請求の範囲の請求項１ないし請求項３の訂正と整合させるため、明りょうでない記載の釈明を目的として、
　特許明細書の段落番号【０００７】の記載を、
「【０００７】
　【課題を解決するための手段】
　本発明は、筆記具用インキを収容したレフィールを、軸筒内にコイルスプリングにより後端方向へ付勢して摺動自在に配設し、レフィールに固着することなく後方にレフィールに装着した尾栓の頭部端面に先端面を当接して配設した回転カムからなる、ノック体を押圧することによりレフィール先端のペン先部を軸筒の先端開口部より出没可能とする繰出機構を具備した回転カムによるノック式筆記具において、前記コイルスプリングの巻き方向を回転カムの回転方向と逆巻きとし、前記尾栓の頭部端面および／または回転カムの先端面を凹凸状に形成して、回転カムの回転とともにレフィールも回転させる構造とする。」と訂正する。
（５４）【発明の名称】
回転カムによるノック式筆記具
（５７）【特許請求の範囲】
　【請求項１】筆記具用インキを収容したレフィールを、軸筒内にコイルスプリングにより後端方向へ付勢して摺動自在に配設し、
レフィールに固着することなく後方に
当接して配設した
　【請求項２】筆記具用インキを収容したレフィールを、軸筒内にコイルスプリングにより後端方向へ付勢して摺動自在に配設し、
レフィールに固着することなく後方に
当接して配設した
　【請求項３】筆記具用インキを収容したレフィールを、軸筒内にコイルスプリングにより後端方向へ付勢して摺動自在に配設し、
レフィールに固着することなく後方に
当接して配設した
【発明の詳細な説明】
　【０００１】
　【発明の属する技術分野】
　本発明は、回転カムからなる繰出機構を具備した、ノック体を押圧することによりレフィール先端のペン先部を軸筒の先端開口部より出没可能とする回転カムによるノック式筆記具に関する。
　【０００２】
　【従来の技術】
　従来より、ノック体を押圧することにより、回転カムの回転の作用によりレフィール先端のペン先部を軸筒の先端開口部より出没させる繰出機構を具備した回転カムによるノック式筆記具については、よく知られている。
　【０００３】
　前記回転カムによるノック式筆記具における筆記具用インキを収容したレフィールは、軸筒内にコイルスプリングにより後端方向へ付勢されており、ペン先部を軸筒の先端開口部より出没可能とするために軸筒内に遊嵌してある。筆記時に、ノック体を押圧することにより回転カムは回転するが、レフィールは回転カムの回転に合わせて回転していないのが現実である。
　【０００４】
　【発明が解決しようとする課題】
　ところで、筆記具においては、殆どのものがポケット等に挟着できるようにクリップを付設した構造としてある。そのために筆記時は、クリップが邪魔にならないように、あるいは手に触れて違和感が生じないように、例えば、クリップを上側に向けて握るなど、個人々々の筆記具を握るポジションは常に同じである。意識して筆記の度ごとにポジションを変えることはまずない。
　【０００５】
　そのために、筆記時にペン先部の同じ箇所ばかり使用していると、例えばペン先部がボールペンチップの場合には、ボールを抱持しているチップの先端開口部やボール座の同じ箇所ばかりに筆記荷重が作用して、その部分だけが偏って摩耗してしまう。その結果、チップ先端からのインキ漏れや、ボールの回転むらからくるインキ出不良による筆跡線のかすれやわれ現象等が発生するという問題が生じる。
　【０００６】
　本発明者はこうした事実に鑑みて、回転カムの回転により、レフィール先端のペン先部を軸筒の先端開口部より出没可能とする繰出機構を具備した回転カムによるノック式筆記具においては、回転カムの回転に合わせてレフィールを回転してやれば、前記問題を解消できることに着眼し、本発明に至った。
　【０００７】
　【課題を解決するための手段】
　本発明は、筆記具用インキを収容したレフィールを、軸筒内にコイルスプリングにより後端方向へ付勢して摺動自在に配設し、
レフィールに固着することなく後方に
当接して配設した
させる
　【０００８】
　または、前記コイルスプリングの巻き方向を回転カムの回転方向と逆巻きとし、前記尾栓の頭部端面と回転カムの先端面に形成した溝と突起とからなる係合手段によりレフィールと回転カムを連結して、回転カムの回転とともにレフィールも回転させる構造とする。
　【０００９】
　または、前記コイルスプリングの巻き方向を回転カムの回転方向と逆巻きとし、前記尾栓の頭部端面と回転カムの先端面の間に粘着物を介在して、回転カムの回転とともにレフィールも回転させる構造とする。
　【００１０】
　本発明における回転カムからなる繰出機構とは、従来より知られているものである。具体的に図１および図２を用いて説明すれば、軸筒２の内壁面に回転カム３を前後に摺動案内し回転させるためのカム溝４を形成し、該カム溝４に回転カム３を係合して配設し、回転カム３後端に回転カム３を摺動し回転を付与するためのカム溝４に係合した、軸筒２の後端開口部２ｂより後端部を外方に突出させたノック体７を配設した構造等で、ノック体７を押圧することによりレフィール８のペン先部１０を軸筒２の先端開口部２ａより出没可能とするものである。
　【００１１】
　本発明において、レフィールを軸筒の後端方向へ付勢するコイルスプリングの巻き方向を、回転カムの回転方向と逆巻きとするが、その理由は、図３を用いて説明すると、コイルスプリング９の後端面９ｂと、該後端面９ｂを支持するレフィール８の支持部の端面（本発明の実施の形態のレフィール８においては大径部１３の先端面１３ａ）との間で、コイルスプリング９の巻き方向が回転カムの回転方向と同方向であると、前記支持部の端面（大径部１３の先端面１３ａ）がコイルスプリング９を形成する線の端面１７に向かって回転するようになり、線の端面１７が支持部の端面（大径部１３の先端面１３ａ）を引っ掻き、レフィールの回転を妨げるからである。
　【００１２】
　コイルスプリングにおける巻き方向以外の巻き数、バネ常数、自由長、取り付け時の長さ等については、特に限定されない。
　【００１３】
　本発明の狙いは、回転カムの回転とともにレフィールも回転させるものであるが、レフィールの回転は、回転カムの回転に追随して回転カムの回転角度と同角度で回転する必要はない。少しづつでも回転すれば良い。
　【００１４】
　尾栓の頭部端面および／または回転カムの先端面に形成する凹凸状とは、摩擦抵抗を大きくして回転カムの回転とともにレフィールが回転すれば良く、凹凸の大小は問わない。梨子地状程度の凹凸でも良い。
　【００１５】
　尾栓の頭部端面と回転カムの先端面に形成する溝や突起からなる係合手段は、形状等の仕様は適宜決定すれば良い。係合手段により、確実に回転カムの回転とともにレフィールを回転させることができるという利点があるが、回転カムは一定角度づつ回転するので、レフィールも回転カムの角度と同角度づつ回転し、結果的には、ペン先部の同じ箇所で筆記することになるが、１箇所でなく数箇所なので前述したような偏った摩耗は起こり難くい。
　【００１６】
　尾栓の頭部端面と回転カムの先端面の間に粘着物を介在するには、例えばポリ酢酸ビニル粘着剤、塩化ゴム粘着剤、ポリビニルエーテル粘着剤を回転カム側に塗布すればよいし、または粘着テープ等を粘着剤が尾栓の頭部端面と当接するように回転カム側に貼付すればよい。
　【００１７】
　【発明の実施の形態】
　本発明の実施の形態を図面を用いて説明する。図面中、同部品または同箇所を示す場合は、同じ番号を付してある。
　【００１８】
　図１〜図４に示す請求項１における実施の形態の回転カムによるノック式筆記具１は、軸筒２内に回転カム３からなる繰出機構を備えている。該繰出機構は従来より知られている構造のもので、簡単に説明すると、軸筒２の内壁面に回転カム３を前後に揺動案内し回転させるためのカム溝４に、回転カム３を係合して配設してある。回転カム３の後端には、回転カム３を摺動し回転を付与するための突起５を前記カム溝４係合し、先端に前記回転カム３に回転を付与するためのカム６を有した、後端部を軸筒２の後端開口部２ｂより外方に突出させたノック体７を連接して配設した構造である。
　【００１９】
　軸筒２内の回転カム３前方には、筆記具用インキ（図示せず）を収容したレフィール８をコイルスプリング９により後端方向へ付勢して摺動自在に配設してある。レフィール８は、先端にボールペンチップのペン先部１０が装着した小径部１１と、中径部１２と、筆記具インキを収容した大径部１３とからなる。コイルスプリング９は、先端９ａを軸筒２の先端部の内壁に形成した段部１４に、後端９ｂをレフィール８の大径部１３の先端面１３ａに当接して支持されている。
　【００２０】
　レフィール８の後端に装着した尾栓１５の頭部端面１５ａは、回転カム３の先端面３ａに当接してあり、図４に示すように、細かな凹凸状でザラザラした表面状態に形成して、回転カム３の先端面３ａとの摩擦抵抗力を大きくしてある。
　【００２１】
　ノック体７を押圧することによりレフィール８先端のペン先部１０は軸筒２の先端開口部２ａより突出するが、その際、前記回転カム３はカム溝４に沿って前進し、ノック体７のカム６の作用により、ノック式筆記具１をレフィール８のペン先部１０を下側にした場合に、時計と同方向回りへの回転（図２において矢印方向）を付与され、カム溝４により回転する。コイルスプリング９は、前記回転カム３の回転方向と逆の時計と反対回りの巻き方向（左巻きで、図３において矢印方向）としてある。
　【００２２】
　軸筒２の後端開口部２ｂ側の外周面には、クリップ１６を付設してある。
　【００２３】
　図５〜図６は、請求項２における実施の形態を示すもので、レフィール８の尾栓１５の頭部端面１５ａに円周上に形成したＶ溝状の被係合部２０を形成してある（図５参照）。回転カム３の先端面３ａには、被係合部２０に係合する山状の突起からなる係合部２１を形成してある（図６参照）。前記係合部２１と被係合部２０とで構成される係合手段により、尾栓１５の頭部端面１５ａと回転カム３の先端面３ａは連結してあり、回転カム３の回転により連動してレフイール８も回転するようにしたものである。
　【００２４】
　図７は、請求項３における実施の形態を示すもので、レフィール８の尾栓１５の頭部端面１５ａと回転カム３の先端面３ａの間に、粘着テープ３０を、粘着剤側を尾栓１５側に向けて回転カム３の先端面３ａに貼付して介在してある。尾栓１５の頭部端面１５ａと回転カム３の先端面３ａを粘着剤により連接して、回転カム３の回転により連動してレフィール８も回転するようにしたものである。
　【００２５】
　以上のような構成とした回転カムによるノック式筆記具１は、ノック体７を押圧することにより、回転カム３はカム溝４に沿って前進し、ノック体７のカム６およびカム溝４の作用により回転する。その際に、請求項１に記載のように、尾栓１５の頭部端面１５ａを細かな凹凸状でザラザラした表面状態に形成したことにより回転カム３との摩擦抵抗を増大しているので、または請求項２に記載のように、尾栓１５と回転カム３を係合部２１と被係合部２０との係合手段により連結してあるので、さらにまたは請求項３に記載のように、粘着物３０を介在して連接してあるので、回転カム３の回転に伴わせてレフィール８も回転する。
　【００２６】
　コイルスプリング９の巻き方向を回転カム３の回転方向と逆方向にしたので、前述したように、レフィール８が回転する際に、コイルスプリング９の後端面９ｂにおける線の端面１７が、コイルスプリング９を保持しているレフィール８の大径部１３の先端面１３ａを引っ掻くようなことがないので、レフィール８の回転を妨げることがない。
　【００２７】
　【発明の効果】
　本発明は、前述したような構造のノック式筆記具なので、筆記時にノック体を押圧してレフィール先端のペン先部を軸筒の先端開口部より突出させる際に、回転カムの回転とともにレフィールも必ず回転するので、ペン先の偏った摩耗がないので常に安定した筆跡幅が得られる。また、ペン先部がボールペンチップの場合には、ボールを抱持しているチップの先端開口部やボール座に、使い込みによる同じ箇所ばかりの偏った摩耗がないので、インキ出不良をもたらすことが無く、いつまでもかすれやわれ現象等がない良好な筆跡線が得られる。
　【００２８】
　また、本発明のノック式筆記具は、従来の回転カムからなる繰出機構をそのまま利用するものなので、製造コストが大幅に上がることもなく、構造もいたって簡単であり、低価格品のノック式筆記具にも採用することができるという利点がある。
【図面の簡単な説明】
　【図１】
　本発明の請求項１に係る実施の形態を示した、要部を断面とした回転カムによるノック式筆記具の縦断面図である。
　【図２】
　図１における、回転カムからなる繰出機構部分の回転カム、カム溝、ノック体との関係を示した概略図である。
　【図３】
　図１における、コイルスプリングとレフィールの平面図である。
　【図４】
　図１における、レフィールの尾栓部分を示した斜視図である。
　【図５】
　本発明の請求項２に係る実施の形態を示した、尾栓の頭部端面をあらわしたレフィールの尾栓部分と回転カムの斜視図である。
　【図６】
　図５において、回転カムの先端面をあらわした回転カムとレフィールの尾栓部分の斜視図である。
　【図７】
　本発明の請求項３に係る実施の形態を示す、回転カムによるノック式筆記具の要部の縦断面図である。
　【符号の説名】
　１　回転カムによるノック式筆記具
　２　軸筒
　３　回転カム
　７　ノック体
　８　レフィール
　９　コイルスプリング
１０　ペン先部
１５　尾栓
２０　被係合部
２１　係合部
３０　粘着テープ